(57)【要約】【課題】  容器本体と、容器本体の口筒部に装着し閉蓋する外キャップとからなり、部材を増やさず、簡単に、最初の開蓋を確認することで、故意、または過失による不正開蓋を防止することができる容器を提供すること。【解決手段】  容器本体の口筒部に装着され、容器内を密封する外キャップを具えた容器において、容器本体は、口筒部と、肩部と胴部とを具え、肩部には、肩壁の所定位置に係合凹部が凹設され、外キャップは、頂壁と、外周壁とを具え、外周壁の所定位置に、除去壁を形成し、除去壁の内面に、係合凹部と係合する係合片を設け、開蓋時に、外キャップから外れるようにしたことを特徴とする。【選択図】  図１
2010235167.tif 000002
【特許請求の範囲】
【請求項１】
容器本体の口筒部に装着され、容器内を密封する外キャップを具えた容器において、
容器本体は、口筒部と、肩部と胴部とを具え、
肩部には、肩壁の所定位置に係合凹部が凹設され、
外キャップは、頂壁と、外周壁とを具え、
外周壁の所定位置に、除去壁を形成し、
除去壁の内面に、係合凹部と係合する係合片を設け、開蓋時に、外キャップから外れるようにしたことを特徴とする容器。
【請求項２】
外周壁の所定位置に、窓部が設けられ、
窓部の内方に、隙間を形成して除去壁が弱化片を介して連設されていることを特徴とする請求項１記載の容器。
【請求項３】
外周壁の所定位置に、下端から上方に向かう左右の切込みと、その上端を結ぶ切込みが設けられ、
切込みの内方に、弱化片を介して除去壁を連設したことを特徴とする請求項１記載の容器。
【請求項４】
外周壁には、切込みの一方の側部の内周に係止凹部が設けられ、他方の切込みの側部に破断可能な弱化片を介して除去壁が連設され、
除去壁の弱化片の反対側には、係止凹部と係合する係止片が設けられていることを特徴とする請求項３記載の容器。
【請求項５】
容器が、横断面形状が複数の辺部と角部とからなる多角形に形成され、
容器本体の肩部の側壁の辺部の中央に係合凹部が凹設され、  
外キャップの外周壁の所定の辺部の中央に除去壁が形成されていることを特徴とする請求項１〜４のいずれかに記載の容器。
【請求項６】
容器が、横断面形状が略四角形に形成されていることを特徴とする請求項５記載の容器。
【請求項７】
容器本体の口筒部に、上部に注出筒を具えた内キャップを装着し、
外キャップが容器本体の口筒部に装着するとともに、内キャップの注出筒を封鎖し、容器内を密封することを特徴とする請求項１〜６のいずれかに記載の容器。
【発明の詳細な説明】
【技術分野】
【０００１】
本発明は、キャップ、とくに容器本体に装着される外キャップに関するものである。
【背景技術】
【０００２】
食用液などを収納する容器本体と、容器本体の口筒部に装着し、閉蓋する外キャップとからなる容器において、最初の開蓋を確認して、故意、または過失による不正開蓋を防止することができる容器は、従来より知られている（例えば、特許文献１参照）。
【先行技術文献】
【特許文献】
【０００３】
【特許文献１】特開２００６−２６４７１１号公報
【発明の概要】
【発明が解決しようとする課題】
【０００４】
しかしながら、従来の容器の構成では、最初の開蓋を確認するために、外キャップと容器本体の他に、別部材でＴＥバンドが必要であり、部材数が多くなるという問題があった。
また、容器を使用する際に、ＴＥバンドを外す必要があり、手間がかかるという問題があった。
【０００５】
本発明は、上記の問題を解決することを課題とし、容器本体と、容器本体の口筒部に装着し閉蓋する外キャップとからなり、部材を増やさず、簡単に、最初の開蓋を確認することで、故意、または過失による不正開蓋を防止することができる容器を提供することを目的とする。
【課題を解決するための手段】
【０００６】
本発明は、上記の課題を解決するため、容器として、容器本体の口筒部に装着され、容器内を密封する外キャップを具えた容器において、容器本体は、口筒部と、肩部と胴部とを具え、肩部には、肩壁の所定位置に係合凹部が凹設され、外キャップは、頂壁と、外周壁とを具え、外周壁の所定位置に、除去壁を形成し、除去壁の内面に、係合凹部と係合する係合片を設け、開蓋時に、外キャップから外れるようにしたことを特徴とする構成を採用する。
【０００７】
除去壁の実施例として、外周壁の所定位置に、窓部が設けられ、窓部の内方に、隙間を形成して除去壁が弱化片を介して連設されていることを特徴とする構成、または、外周壁の所定位置に、下端から上方に向かう左右の切込みと、その上端を結ぶ切込みが設けられ、切込みの内方に、弱化片を介して除去壁を連設したことを特徴とする構成、或いは、外周壁には、切込みの一方の側部の内周に係止凹部が設けられ、他方の切込みの側部に破断可能な弱化片を介して除去壁が連設され、除去壁の弱化片の反対側には、係止凹部と係合する係止片が設けられていることを特徴とする構成を採用する。
【０００８】
容器の実施例として、容器が、横断面形状が複数の辺部と角部とからなる多角形に形成され、容器本体の肩部の側壁の辺部の中央に係合凹部が凹設され、外キャップの外周壁の所定の辺部の中央に除去壁が形成されていることを特徴とする構成を採用し、容器の具体的な実施例として、容器が、横断面形状が略四角形に形成されていることを特徴とする構成を採用し、容器の他の実施例として、容器本体の口筒部に、上部に注出筒を具えた内キャップを装着し、外キャップが容器本体の口筒部に装着するとともに、内キャップの注出筒を封鎖し、容器内を密封することを特徴とする構成を採用する。
【発明の効果】
【０００９】
本発明は、容器本体の口筒部に装着され、容器内を密封する外キャップを具えた容器において、容器本体の肩部の側壁の所定の位置に係合凹部を設け、外キャップの外周壁の所定の位置に、内面に係合凹部と係合する係合片を設けた除去壁を形成することによって、閉蓋時に、係合凹部と係合片が係合し、最初の開蓋の際に、外キャップを回転させると係合凹部と係合片との係合が外れ、係合片が肩部の側壁に当接し、除去壁を外側に押すことで、弱化片を変形、または切断させ、除去壁を外周壁の外面に対して外側に突出するか、または、除去壁を外周壁から外すので、外キャップに開蓋の跡が残り、容器の最初の開蓋が確認できるので、故意、または過失による不正開蓋を防止することが容易にできるようになった。
【図面の簡単な説明】
【００１０】
【図１】第１実施例の容器の断面立面図である。
【図２】内キャップを閉蓋した容器本体の一部断面立面図である。
【図３】外キャップの説明図で、（ａ）は断面立面図、（ｂ）は側面図である。
【図４】図１のａ−ａ線における切断上面図である。
【図５】外キャップの除去壁の拡大説明図で、（ａ）は外キャップ閉蓋時、（ｂ）は外キャップ廻動時の状態を示す上面図である。
【図６】第２実施例の説明図で、（ａ）は断面立面図、（ｂ）は側面図である。
【図７】外キャップの除去壁の拡大説明図で、（ａ）は外キャップ閉蓋時、（ｂ）は外キャップ廻動時の状態を示す上面図である。
【図８】外キャップを再度閉蓋したときの正面図である。
【発明を実施するための最良の形態】
【００１１】
次に、本発明の容器について、実施例をあげ、図面を参照して説明する。
【実施例１】
【００１２】
図１において、Ａは容器本体、Ｂは容器本体Ａの口筒部に装着される内キャップ、Ｃは容器内を密封する外キャップである。
【００１３】
容器本体Ａは、図１、２に示すように、口筒部１と、口筒部１の下端に連設され、横断面が角部を円弧とした略四角形に形成される肩部２と胴部３とを具えており、口筒部１には、上部外周に、係合突条４が設けられ、その下方にネックリング５が設けられている。
【００１４】
肩部２は、図２、４に示すように、口筒部１の下端から略四角形を形成するように延びる肩壁６と、肩壁６下端から下方に向かい拡径する傾斜壁７と、傾斜壁７の下端外周に連設され、胴部３の上端に接続する段部８とを具えている。
傾斜壁７は、四辺の辺部７ａと角部７ｂとから形成されており、辺部７ａの中央には、係合凹部９が凹設されている。
【００１５】
内キャップＢは、容器本体Ａの口筒部１に装着される中栓Ｂ１と、中栓Ｂ１と係合して開閉蓋するキャップＢ２とからなっており、中栓Ｂ１とキャップＢ２とは、ヒンジＢ３を介して連設されている。
【００１６】
中栓Ｂ１は、内筒１０と、内筒１０の下端内周に連設される底壁１１と、内筒１０の中間部外周に連設される上壁１２と、上壁１２の外縁下面に垂設される外筒１３とを具えている。
内筒１０の外周上部には、キャップＢ２と係合する係止部１４が設けられ、外筒１３の内周下部には、容器本体Ａの口筒部１の係合突条４と係合する係合部１５が設けられている。
【００１７】
底壁１１には、注出口を形成する除去部１６を切断する切断溝１７が刻設されており、除去部１６上面の所定位置には、支柱１８を介してプルリング１９が連設されている。
【００１８】
キャップＢ２は、注出筒２０と、注出筒２０下端外周に連設された上壁２１と、上壁２１下面に垂設され、外周が中栓Ｂ１の内筒１０内周に係合する内筒２２と、上壁２１外縁に垂設され、内周が中栓Ｂ１の内筒１０外周に係合する係合筒２３とを具えている。
係合筒２３の内周には、内筒１０外周の係止部１４と係合する係止突部２４が設けられている。
【００１９】
外キャップＣは、図１、３に示すように、頂壁２５と、頂壁２５外縁に垂設される外周壁２６とを具えており、横断面形状は略四角形に形成されている。
【００２０】
頂壁２５の下面には、外周がキャップＢ２の注出筒２０の内周に係合する係合筒２７が配設されている。
【００２１】
外周壁２６は、所定の一辺の辺部２６ａとその他の三辺の辺部２６ｂと、角部２６ｃとから形成されている。
【００２２】
辺部２６ａの中央下部には、窓部２８が設けられ、窓部２８の内方には、窓部２８内側との間に隙間を形成するとともに、複数配設された弱化片２９を介して連設された除去壁３０が形成されている。
除去壁３０の外面は、辺部２６ａの外面と面一になるように形成されている。
【００２３】
辺部２６ａの内面中央には、頂壁２５の上端から窓部２８の上方まで延びる係止リブ３１と、除去壁３０に形成され、先端部が肩部２の傾斜壁７のいずれかの係合凹部９に係合する係合片３２とが設けられている。
【００２４】
係止リブ３１の内縁には、内側壁３１ａが連設され、該内側壁３１ａには、所定の位置に、閉蓋時に上部が容器本体Ａのネックリング５外周下部に係合する係止突部３３が設けられている。
【００２５】
辺部２６ｂの内面中央には、頂壁２５から下端まで延びる係止リブ３４が設けられている。
係止リブ３４の下部は、先端部が肩部２の傾斜壁７のいずれかの係合凹部９に係合する係合部３５が形成され、係止リブ３４の内側壁３４ａには、所定の位置に、閉蓋時に上部が容器本体Ａのネックリング５外周下部に係合する係止突部３３が設けられている。
【００２６】
次に、本実施例の容器の作用効果について説明する。
本実施例の容器の組立は、キャップＢ２を中栓Ｂ１に閉蓋した内キャップＢを、容器本体Ａの口筒部１に装着した後、容器本体Ａに外キャップＣを装着して閉蓋する。
【００２７】
外キャップＣを容器本体Ａに閉蓋する際には、互いの辺部および角部の位置を合わせながら、容器本体Ａの上方から外キャップＣを下ろして係合させ、閉蓋する。
その際、図４、５（ａ）に示すように、互いの辺部および角部が係合するとともに、容器本体Ａ肩部２の傾斜壁７の一つの辺部７ａの係合凹部９に、外キャップＣの除去壁３０係合片３２が係合し、他の辺部７ａの係合凹部９には係合部３５が係合する。
【００２８】
また、容器本体Ａのネックリング５の外縁と、外キャップＣ内方の係止リブ３１の内側壁３１ａおよび係止リブ３４の内側壁３４ａの下部とが摺動するとともに、それぞれの係止突部３３を乗り越え、係止突部３３の上部とネックリング５の外縁下部が係合し、外キャップＣが容器本体Ａから外れることを防止する。
【００２９】
キャップの使用にあたっては、まず、外キャップＣを把持して回転させる。
外キャップＣを回転させると、外キャップＣの係止リブ１の係止片３２、係止リブ３４の係合部３５が、傾斜壁７の係合凹部９から離れ、傾斜壁７の表面に当接することによって、外周壁２６の辺部２６ａおよび２６ｂを変形させるとともに、外キャップＣが持ち上げられる。
外キャップＣが上がることにより、容器本体Ａのネックリング５の外縁と、外キャップＣ内方の係止リブ３１および係止リブ３４の係合が外れ、外キャップＣが容器本体Ａから外れ、開蓋される。
【００３０】
また、外キャップＣを回転させると、図５（ｂ）に示すように、容器本体Ａの傾斜壁７の辺部７ａの係合凹部９と、外キャップＣの外周壁２６の辺部２６ａの係合片３２との係合が外れ、係合片３２が辺部７ａに当接しながら進むことにより、係合片３２が外側に押される。
係合片３２が外側に押されることにより、辺部２６ａの窓部２８内の除去壁３０が外側に押され、弱化片２９を変形または切断させ、辺部２６ａの外面に対して除去部３０が外側に突出する。
【００３１】
辺部２６ａの外面に対して除去部３０が外側に突出したまま、外キャップＣが外れることにより、外キャップＣを容器本体Ａに再度装着しても、除去部３０が外側に突出しているとともに弱化片２９に跡が残るので、容器の最初の開蓋が確認でき、故意、または過失による不正開蓋を防止することができる。
【００３２】
外キャップＣの外周壁２６の他の辺部２６ｂは、外キャップＣを回転させると、容器本体Ａの傾斜壁７の辺部７ａの係合凹部９と、辺部２６ｂの係止リブ３４の係合部３５との係合が外れ、係合部３５が辺部７ａに当接し、係止リブ３４が外側に押され、辺部２６ｂ自体の下部中央が僅かに変形しながら進む。
辺部２６ｂの下部中央が僅かに変形しながら進むことにより、外キャップＣの開蓋と同時に、係合部３５と辺部７ａとの当接が外れることにより、使用者に、クリック感をあたえることができる。
【００３３】
容器本体Ａから外キャップＣを外し、開蓋した後、内キャップＢの中栓Ｂ１の上部からキャップＢ２を外し、中栓Ｂ１のプルリング１９に手指などを掛けて上方に引張り、除去部１６を切断溝１７を介して底壁１１から抜栓し、注出口を形成させる。
【００３４】
内容液の注出にあたっては、外キャップＣを取外して容器を傾け、キャップＢ２の注出筒２０より注出する。
また、キャップＢ２を中栓Ｂ１から外し、中栓Ｂ１の内筒１０内周を通じて注出することもできる。
【００３５】
抜栓後には、中栓Ｂ１にキャップＢ２を被嵌し、その上から、外キャップＣを装着し、閉蓋する。
その際、外キャップＣの係合筒２７がキャップＢ２の注出筒２０の内周に挿入され、容器内を密封する。
【実施例２】
【００３６】
次に、第１実施例の容器の外キャップの構成を変えた第２実施例について、説明する。
本実施例の第１実施例と同一の構成部分には、同一の符号を付して図示し、詳しい説明を省略し、相違点を中心に説明する。  
【００３７】
図６において、Ａは容器本体、Ｂは容器本体Ａの口筒部に装着される内キャップ、Ｃａは容器内を密封する外キャップである。
【００３８】
外キャップＣａは、図６に示すように、頂壁２５と、頂壁２５外縁に垂設される外周壁４０とを具え、横断面形状は略四角形に形成されている。
【００３９】
外周壁４０は、所定の一辺の辺部４０ａとその他の三辺の辺部４０ｂと、角部４０ｃとから形成されている。
【００４０】
辺部４０ａの中央下部には、図６、７（ａ）に示すように、下端から左右の切込み４１ａ、ｂが設けられ、二つの切込み４１ａ、４１ｂの上端は切込み４１ｃで結ばれて切込み４１が形成され、切込み４１の内方には、除去壁４２が連設されている。
【００４１】
辺部４０ａの切込み４１の一方の切込み４１ａの外周には、係止凹部４３が設けられており、他方の４１ｂには、破断可能な弱化片４４を介して除去壁４２が連設されている。
【００４２】
除去壁４２の弱化片４４の反対側には、係止凹部４３と係合する係止片４５が設けられている。
除去壁４２は、係止凹部４３と係止片４５との係合、および、弱化片４４により、外面が、辺部４０ａの外面と面一になるように連設されている。
【００４３】
辺部４０ａの内面中央には、頂壁２５から切込み４１上端まで延びる係止リブ４６と、除去壁４２に形成され、先端部が肩部２の傾斜壁７のいずれかの係合凹部９に係合する係合片４７とが設けられている。
係止リブ４６の内縁には、閉蓋時に容器本体Ａのネックリング５外縁に係合する係止突部３３を設けた内側壁４６ａが連設されている。
【００４４】
辺部４０ｂの内面中央には、上端から下端まで延びるとともに、内縁に閉蓋時に容器本体Ａのネックリング５外縁に、係合する係合突部３３を設けた内側壁４８ａを連設した係止リブ４８が設けられ、係止リブ４８の下部は、先端部が肩部２の傾斜壁７のいずれかの係合凹部９に係合する係合部４９が形成されている。
【００４５】
次に、本実施例の容器の作用効果について説明する。
本実施例の容器の組立は、キャップＢ２を中栓Ｂ１に閉蓋した内キャップＢを、容器本体Ａの口筒部１に装着した後、容器本体Ａに外キャップＣａを装着して閉蓋する。
【００４６】
外キャップＣａを容器本体Ａに閉蓋する際には、互いの辺部および角部の位置を合わせながら、容器本体Ａの上方から外キャップＣａを下ろして係合させ、閉蓋する。
その際、互いの辺部および角部が係合するとともに、図７（ａ）に示すように、容器本体Ａ肩部２の傾斜壁７の一つの辺部７ａの係合凹部９に、外キャップＣａの除去部４２の係合片４７が係合し、他の辺部７ａの係合凹部９には、辺部４０ｂの係合部４９が係合する。
【００４７】
キャップの使用にあたっては、まず、外キャップＣａを把持して回転させる。
外キャップＣａを回転させると、外キャップＣａの係止リブ４６の係止片４７、係止リブ４８の係合部４９が、傾斜壁７の係合凹部９から離れ、傾斜壁７の表面に当接することによって、外周壁４０の辺部４０ａ、４０ｂを変形させるとともに、外キャップＣａが持ち上げられ、さらに上昇するとともに、ネックリング５の外縁と、外キャップＣａの係止リブ４６、４８との係合が外れ、開蓋することができる。
【００４８】
また、外キャップＣａを回転させると、図７（ｂ）に示すように、容器本体Ａの傾斜壁７の辺部７ａの係合凹部９と、外キャップＣａの除去部４２の係合片４７との係合が外れ、係合片４７が辺部７ａに当接しながら進むことにより、係合片４７が外側に押される。
係合片４７が外側に押されることにより、辺部４０ａの切込み４１内の除去壁４２が外側に押され、弱化片４４を切断する。
【００４９】
弱化片４４が切断されることにより、除去壁４２の係止片４５と辺部４０ａの係止凹部４３が係止が外され、除去壁４２は辺部４０ａから外れ落ちる。
辺部４０ａから除去壁４２がなくなることにより、図８に示すように、外キャップＣａを容器本体Ａに再度装着しても、容器の最初の開蓋が確認でき、故意、または過失による不正開蓋を防止することができる。
その他の作用効果は、実施例１と同じである。
【００５０】
前記各実施例では、容器の横断面形状を略四角形に形成したが、容器本体の肩部の傾斜壁と外キャップの外周壁の互いの辺部と角部が係合して閉蓋時に位置合わせされ、外キャップを回転することで、開蓋されるとともに、最初の開蓋が確認できる除去壁を外キャップの所定の辺部に形成することできればよいので、容器の形状は、横断面形状が辺部と角部が複数存在する多角形であればよい。
【００５１】
また、容器本体の肩部外縁に係合凹部を設け、外キャップの外周壁に、内面に係合凹部と係合する係合突部を設けた破断または変形可能な除去壁を形成し、閉蓋時に容器本体に位置合わせされ、除去壁の状態を見て最初の開蓋時を確認できるようにすればよいので、容器の形状は、横断面形状が辺部と角部が複数存在する多角形でなく、円形であってもよく、容器の形状は、上記各実施例の形状に限定されない。
【００５２】
前記各実施例では、内キャップＢを、中栓Ｂ１と中栓Ｂ１に装着されるキャップＢ２としたが、外キャップと係合して閉蓋することができれば、中栓Ｂ１のみの構成でもよく、内キャップの構成は、上記各実施例の構成に限定されない。
また、容器本体の口筒部と外キャップとを係合して容器本体内を密封することができるのであれば、内キャップ自体がなくてもよい。
【産業上の利用可能性】
【００５３】
本発明は、外キャップを最初に開蓋した際に、外キャップの一部が変形して、確認することができ、故意、または過失による不正開蓋の防止をすることができる。
また、外キャップと容器本体とを位置合わせして閉蓋する構成の容器であれば、容器の形状、内容液の如何にかかわらず、どのような容器にも使用可能である。
【符号の説明】
【００５４】
Ａ            容器本体
Ｂ            内キャップ
Ｂ１          中栓
Ｂ２          キャップ
Ｂ３          ヒンジ
Ｃ、Ｃａ      外キャップ
１            口筒部
２            肩部
３            胴部
４            係合突条
５            ネックリング
６            肩壁
７            傾斜壁
７ａ、２６ａ、２６ｂ、４０ａ、４０ｂ  辺部
７ｂ、２６ｃ、４０ｃ  角部
８            段部
９            係合凹部
１０、２２    内筒
１１          底壁
１２、２１    上壁
１３          外筒
１４          係止部
１５、３５、４９  係合部
１６          除去部
１７          切断溝
１８          支柱
１９          プルリング
２０          注出筒
２３、２７    係合筒
２４、３３    係止突部
２５          頂壁
２６、４０    外周壁
２８          窓部
２９、４４    弱化片
３０、４２    除去壁
３１、３４、４６、４８  係止リブ
３１ａ、３４ａ  内側壁
３２、４７    係合片
４１          切込み
４１ａ、４１ｂ  側部
４３          係止凹部
４５          係止片
【図１】
2010235167.tif 000003
【図２】
2010235167.tif 000004
【図３】
2010235167.tif 000005
【図４】
2010235167.tif 000006
【図５】
2010235167.tif 000007
【図６】
2010235167.tif 000008
【図７】
2010235167.tif 000009
【図８】
2010235167.tif 000010